(57)【要約】    【課題】  ディスプレイ装置が搭載される電子機器の小型化とディスプレイ装置の大型化との両立、ディスプレイ装置の保護を図ることを可能とする。    【解決手段】  携帯電話機１０１は、ヒンジユニットを介して展開及び折畳み自在に接続されたケース体Ａ・１０２及びケース体Ｂ・１０３を備える。ケース体Ａ・１０２には、ＥＬから構成されるディスプレイ部１０４、スピーカ部１０７を配設し、ケース体Ｂ・１０３には、ディスプレイ部１０４、操作キー部１０５、マイク部１０６を配設する。ディスプレイ部１０４をケース体Ｂ・１０３に対し固定し、ケース体Ａ・１０２に対しては長手方向に摺動自在とし、ディスプレイ部１０４の裏面側に適切な弾性を有するシート部材３１４を重ねた状態で配置する。これにより、携帯電話機１０１の小型化とディスプレイ部１０４の大型化の両立を図り、携帯電話機１０１の折畳みに伴う曲げストレスを逃がしディスプレイ部１０４を保護する。【選択図】      図１
2005114759.tif 000002
【特許請求の範囲】
【請求項１】
少なくとも第１の筐体及び第２の筐体を接続機構を介して回動自在に接続してなる筐体に装着可能なディスプレイ装置であって、
折り曲げ可能な表示デバイスを備え、前記表示デバイスを前記第１の筐体に対して固定すると共に、前記第２の筐体に対して摺動自在に保持したことを特徴とするディスプレイ装置。
【請求項２】
前記表示デバイスを前記第２の筐体に対して前記第１及び第２の筐体の配列方向へ摺動自在に保持したことを特徴とする請求項１記載のディスプレイ装置。
【請求項３】
弾性を有するシート状部材を前記表示デバイスに重ねた状態に配置したことを特徴とする請求項１記載のディスプレイ装置。
【請求項４】
弾性を有する部材を介して前記表示デバイスと前記第２の筐体を接続したことを特徴とする請求項１記載のディスプレイ装置。
【請求項５】
前記表示デバイスはＥＬ（Electro Luminescence）を含む折り曲げ可能な表示デバイス群から選択されるものであることを特徴とする請求項１記載のディスプレイ装置。
【請求項６】
前記請求項１乃至５の何れかに記載のディスプレイ装置を備えたことを特徴とする携帯電話機。
【請求項７】
前記請求項１乃至５の何れかに記載のディスプレイ装置を備えたことを特徴とする電子機器。
【請求項８】
前記電子機器は、携帯情報端末、撮像装置、テレビジョン受像機を含む群から選択される電子機器であることを特徴とする請求項７記載の電子機器。
【発明の詳細な説明】
【技術分野】
【０００１】
本発明は、筐体に組み込まれ画像等を表示するディスプレイ装置、携帯電話機、及び電子機器に関する。
【背景技術】
【０００２】
近年、携帯電話機やＰＤＡ（Personal Digital Assistant）などのモバイル情報機器が広く普及している。モバイル情報機器を含む各種の情報機器には、普通、ＬＣＤ（Liquid Crystal Display）に代表されるディスプレイ装置が組み込まれ、マン・マシンインターフェイスの要として利用されているが、特にモバイル情報機器に搭載されるディスプレイ装置は、ここ数年のうちにカラー化及び高精細化が進み、写真や動画像を鑑賞するといったグラフィカルな用途での利用が一般に定着している。
【０００３】
さて、携帯性が重視されるモバイル情報機器においては、より一層の小型化・薄型化・軽量化の推進に注力して技術開発が行われてきた。モバイル情報機器本体の小型化は勿論であるが、非使用時にモバイル情報機器を折り畳んでコンパクトにする、といった手法も一般に知られている。
【０００４】
上記のようなモバイル情報機器本体の小型化の取り組みに対し、一方で、モバイル情報機器に搭載されるディスプレイ装置については、表示画面のより大きいものの方が情報量や視認性の面から使い勝手が良く、使用者に好まれる傾向にある。モバイル情報機器に搭載されるディスプレイ装置は、普通、ＬＣＤなど扁平なデバイスを用いて構成され、小型化されたモバイル情報機器の構造の中では特に大きな面積を占有する要素である。そのため、モバイル情報機器のデザインはディスプレイ装置のサイズに左右されるところが大きく、モバイル情報機器本体は小さくディスプレイ装置は大きく、という相反する方向性の中で様々な模索が行われている。モバイル情報機器の例として、図９及び図１０に従来の携帯電話機の外観を示す。
【０００５】
図９は、いわゆるスティック型と呼ばれる携帯電話機９０１の外観を示す斜視図である。
【０００６】
図９において、携帯電話機９０１は、ディスプレイ部９０２と操作キー部９０３を筐体の長手方向に並べて配置した形状となっている。
【０００７】
図１０は、折り畳み式携帯電話機１００１の外観を示す斜視図である。
【０００８】
図１０において、携帯電話機１００１は、ヒンジ部１００２を中心に筐体を二つ折りにすることで非使用時にコンパクトになる構造を有する。この場合、ディスプレイ部１００３と操作キー部１００４を、携帯電話機１００１を二つ折りした際に向かい合う二つの面に各々配置している。
【０００９】
他方、複数のディスプレイ部を並べて搭載することでディスプレイ部の表示面積を大型化する提案として、例えば、３つのディスプレイ部を折り畳み可能に取り付けたコンピュータに関する提案がある（例えば、特許文献１参照）。該提案によれば、３つのディスプレイ部を横並びに配置し、収納時には３つのディスプレイ部を重ね合わせるようにして折り畳むことで、１つのディスプレイ部の大きさ内に収めることができる。
【特許文献１】特開２００１−３３７７４５号公報
【発明の開示】
【発明が解決しようとする課題】
【００１０】
しかしながら、上記従来例においては次のような問題があった。上記図９に示したスティック型携帯電話機９０１の場合、ディスプレイ部９０２と操作キー部９０３を筐体の長手方向に並べて配置した構造であるため、ディスプレイ部９０２の端部から操作キー部９０３の端部までの長さＬ１が携帯電話機の表示操作部分としてのサイズになり、ディスプレイ部９０２を大型化すると携帯電話機本体のサイズアップに直結するので、ディスプレイ部９０２の大型化には限界がある。
【００１１】
また、上記図１０に示した折り畳み式携帯電話機１００１の場合、ディスプレイ部１００３と操作キー部１００４を、携帯電話機１００１を二つ折りした際に向かい合う二つの面に各々配置している。従って、携帯電話機１００１の非使用時のサイズＬ２は、ディスプレイ部１００３の大きさによると言ってよく、大きなディスプレイ部を搭載しながらも携帯しやすくするには、スティック型携帯電話機９０１より都合が良い。しかしながら、ディスプレイ部１００３のサイズが携帯電話機本体の非使用時のサイズに直結していることは変わりなく、ディスプレイ部１００３の大型化には限界が見えている。
【００１２】
また、複数のディスプレイ部を並べて搭載することでディスプレイ部の表示面積を大型化する上記提案では、結局のところディスプレイ部が複数に分割されているので、一続きの大画面として使用するにはディスプレイ部の境目が目障りであるし、また各々のディスプレイ部に駆動回路が必要となるため、部品点数が増加すると共にコスト上も不利である。
【００１３】
本発明の目的は、ディスプレイ装置が搭載される筐体の小型化とディスプレイ装置の大型化との両立、ディスプレイ装置の保護を図ることを可能としたディスプレイ装置、携帯電話機、及び電子機器を提供することにある。
【課題を解決するための手段】
【００１４】
上述の目的を達成するために、請求項１の発明は、少なくとも第１の筐体及び第２の筐体を接続機構を介して回動自在に接続してなる筐体に装着可能なディスプレイ装置であって、折り曲げ可能な表示デバイスを備え、前記表示デバイスを前記第１の筐体に対して固定すると共に、前記第２の筐体に対して摺動自在に保持したことを特徴とする。
【００１５】
また、請求項２の発明は、前記表示デバイスを前記第２の筐体に対して前記第１及び第２の筐体の配列方向へ摺動自在に保持したことを特徴とする。
【００１６】
また、請求項３の発明は、弾性を有するシート状部材を前記表示デバイスに重ねた状態に配置したことを特徴とする。
【００１７】
また、請求項４の発明は、弾性を有する部材を介して前記表示デバイスと前記第２の筐体を接続したことを特徴とする。
【００１８】
また、請求項５の発明は、前記表示デバイスはＥＬ（Electro Luminescence）を含む折り曲げ可能な表示デバイス群から選択されるものであることを特徴とする。
【００１９】
また、請求項６の発明は、前記請求項１乃至５の何れかに記載のディスプレイ装置を備えた携帯電話機であることを特徴とする。
【００２０】
また、請求項７の発明は、前記請求項１乃至５の何れかに記載のディスプレイ装置を備えた電子機器であることを特徴とする。
【００２１】
また、請求項８の発明は、前記電子機器は、携帯情報端末、撮像装置、テレビジョン受像機を含む群から選択される電子機器であることを特徴とする。
【００２２】
尚、本発明は、少なくとも第１の筐体及び第２の筐体を接続機構を介して回動自在に接続してなる筐体に装着可能なディスプレイ装置であって、折り曲げ可能な表示デバイスを備え、前記表示デバイスを、少なくとも前記表示デバイスの所定部分が前記第１の筐体に収まるように前記第１の筐体に対して固定すると共に、少なくとも前記表示デバイスの他の部分が前記第２の筐体に対して前記第１及び第２の筐体の配列方向へ摺動自在となるように保持する構成としてもよい。
【００２３】
また、本発明は、複数の筐体構成要素を接続機構を介して回動自在に順次直列に接続してなる筐体に装着可能なディスプレイ装置であって、折り曲げ可能な表示デバイスを備え、前記表示デバイスを、前記複数の筐体構成要素のうち一方の端に位置する筐体構成要素に対して固定すると共に、他の筐体構成要素に対して摺動自在に保持する構成としてもよい。
【発明の効果】
【００２４】
請求項１の発明によれば、折り曲げ可能な表示デバイスを第１の筐体に対して固定すると共に、第２の筐体に対して摺動自在に保持しているため、第１の筐体及び第２の筐体からなる筐体の折り畳みに伴い、第１の筐体に固定された表示デバイスが第２の筐体において摺動し移動するため、折り畳んだ状態の筐体のサイズを表示デバイスのサイズより小さくなるように構成することができる。即ち、筐体を表示デバイスのサイズより小さく折り畳むことができ、表示デバイスの表示画面の大きさを確保しながらも、筐体の小型化と表示デバイスの大型化との両立を図ることができる。また、表示デバイスを第２の筐体に対して摺動自在に保持することで、筐体の折り畳みに伴う曲げストレスを逃がすことが可能となり、表示デバイスを保護することができる。
【００２５】
また、請求項２の発明によれば、表示デバイスを第２の筐体に対して、第１及び第２の筐体の配列方向へ摺動自在に保持しているため、上記同様に、第１の筐体及び第２の筐体からなる筐体を表示デバイスのサイズより小さく折り畳むことができると共に、筐体の折り畳みに伴う曲げストレスを逃がすことが可能となり、表示デバイスを保護することができる。
【００２６】
また、請求項３の発明によれば、弾性を有するシート状部材を表示デバイスに重ねた状態に配置しているため、シート状部材により、第１の筐体及び第２の筐体からなる筐体を折り畳む際のディスプレイ装置が摺動し移動する動作と、該筐体を展開する際のディスプレイ装置が伸展する動作とを補助することができ、筐体を折り畳んだり展開したりする場合における開閉信頼性を向上させることができる。
【００２７】
また、請求項４の発明によれば、弾性を有する部材を介して表示デバイスと第２の筐体を接続するため、第１の筐体及び第２の筐体からなる筐体の開閉動作に対して表示デバイスを滑らかに追従させることができる。
【００２８】
また、請求項５の発明によれば、表示デバイスはＥＬを含む折り曲げ可能な表示デバイス群から選択されるものであるため、表示デバイスを例えばＥＬから構成した場合、第１の筐体及び第２の筐体からなる筐体の折り畳みに追従して、ＥＬが持つフレキシブルな特性により表示デバイスが円滑に曲がることで、筐体の折り畳みに伴う曲げストレスを逃がすことが可能となり、表示デバイスを保護することができる。
【００２９】
また、請求項６の発明によれば、携帯電話機は、前記請求項１乃至５の何れかに記載のディスプレイ装置を備えるため、携帯電話機の折り畳みに伴い、携帯電話機の筐体を構成する第１の筐体に固定された表示デバイスが第２の筐体において摺動し移動するため、折り畳んだ状態の携帯電話機のサイズを表示デバイスのサイズより小さくなるように構成することができる。即ち、携帯電話機を表示デバイスのサイズより小さく折り畳むことができ、表示デバイスの表示画面の大きさを確保しながらも携帯性を損なうことがなく、携帯電話機の小型化と表示デバイスの大型化との両立を図ることができる。また、携帯電話機の折り畳みに伴う曲げストレスを逃がすことが可能となり、表示デバイスを保護することができる。また、携帯電話機を折り畳んだり展開したりする場合における開閉信頼性を向上させることができる。
【００３０】
また、請求項７の発明によれば、電子機器は、前記請求項１乃至５の何れかに記載のディスプレイ装置を備えるため、電子機器の小型化とディスプレイ装置の大型化との両立、ディスプレイ装置の保護、開閉信頼性の向上を図ることができる。
【００３１】
また、請求項８の発明によれば、前記電子機器は、携帯情報端末、撮像装置、テレビジョン受像機を含む群から選択される電子機器であるため、携帯情報端末や撮像装置等の小型化とディスプレイ装置の大型化との両立、ディスプレイ装置の保護、開閉信頼性の向上を図ることができる。
【発明を実施するための最良の形態】
【００３２】
以下、本発明の実施の形態を図面に基づき説明する。
【００３３】
［第１の実施の形態］
図１は、本発明の第１の実施の形態に係る携帯電話機の使用時の外観を示す斜視図である。図２は、携帯電話機の非使用時の外観を示す斜視図である。
【００３４】
図１及び図２において、携帯電話機１０１は、ヒンジ部１０８に取り付けられるヒンジユニット（図３参照、以上接続機構）を介して展開及び折り畳み自在に接続されたケース体Ａ・１０２（第２の筐体）及びケース体Ｂ・１０３（第１の筐体）から大略構成されている。更に、ケース体Ａ・１０２には、ディスプレイ部１０４（表示デバイス）、スピーカ部１０７が配設され、ケース体Ｂ・１０３には、ディスプレイ部１０４、操作キー部１０５、マイク部１０６が配設されている。
【００３５】
携帯電話機１０１の筐体は、ケース体Ａ・１０２とケース体Ｂ・１０３とを、ヒンジ部１０８に取り付けられるヒンジユニットを軸に回動自在に接続することで構成されている。即ち、携帯電話機１０１は、使用時には図１に示すように筐体を開いて展開状態とすることでディスプレイ部１０４や操作キー部１０５等を使用可能とし、非使用時には図２に示すように筐体を折り畳んで収納状態とすることで携帯電話機全体をコンパクトにすることができる。
【００３６】
携帯電話機１０１を折り畳んで収納状態としたときに向かい合うケース体Ａ・１０２とケース体Ｂ・１０３の各々の面に、ディスプレイ部１０４、操作キー部１０５、マイク部１０６、スピーカ部１０７が配設されている。これにより、携帯電話機１０１を折り畳んで収納状態にした時はディスプレイ部１０４や操作キー部１０５を保護し、ディスプレイ部１０４に対する傷や操作キー部１０５の誤操作を防止する効果を有することが知られている。また、ヒンジ部１０８の近傍に、携帯電話機１０１が閉じられたことを検知するスイッチ（図示略）を設け、携帯電話機１０１を折り畳んで収納状態にした時にディスプレイ部１０４の表示をオフにする、などの制御が普通に行われている。
【００３７】
携帯電話機１０１のディスプレイ部１０４は、ヒンジ部１０８を跨いでケース体Ａ・１０２からケース体Ｂ・１０３に掛けて配設されている。Ｌ３はディスプレイ部１０４の長手方向の長さを示す。ここで特筆すべきは、携帯電話機１０１のディスプレイ部１０４としてＥＬ（Electro Luminescence）を採用していることにある。ＥＬはＬＣＤに対して構造が単純で薄型化に適しており、丸めたり折り曲げたりすることが可能であり、将来的には電子ペーパーのような応用展開が考えられている。携帯電話機１０１のディスプレイ部１０４は、ＥＬのフレキシブルな特性を利用し、携帯電話機１０１の折り畳みに追従してＥＬが曲がることによって、円滑な折り畳みを行うことができる。
【００３８】
図３は、携帯電話機１０１の構造を示す分解斜視図である。図４は、携帯電話機１０１の使用時（図１）の概略構造を示す断面図である。図５は、携帯電話機１０１の非使用時（図２）の概略構造を示す断面図である。
【００３９】
図３乃至図５において、ケース体Ａ・１０２は、ディスプレイ部１０４のディスプレイ枠を形成する大きな開口部を有しケース体Ａ・１０２の前面側を構成する外装カバーＡ１・３０１と、ケース体Ａ・１０２の背面側を構成する外装カバーＡ２・３０２とを備えている。外装カバーＡ１・３０１には、スピーカ部１０７からの音声を放出するためのスピーカ穴３０３が配設されている。外装カバーＡ２・３０２には、伸縮式のロッドアンテナ３０４を取り付ける。スピーカ部１０７は、外装カバーＡ１・３０１及び外装カバーＡ２・３０２により狭持し固定する。ロッドアンテナ３０４とスピーカ部１０７に接続された配線（図示略）は、ケース体Ｂ・１０３内に引き込み後述の主基板３０６に接続する。
【００４０】
ケース体Ｂ・１０３は、上記ケース体Ａ・１０２と同様に、ディスプレイ部１０４のディスプレイ枠を形成する開口部を有しケース体Ｂ・１０３の前面側を構成する外装カバーＢ１・３０７と、ケース体Ｂ・１０３の背面側を構成する外装カバーＢ２・３０８とを備えている。外装カバーＢ１・３０７には、ディスプレイ部１０４の枠となるコの字状の切り欠き部と、操作キー部１０５を設置する複数の穴３０９、及びマイク部１０６へ話者音声を取り入れるマイク穴３１０が配設されている。ケース体Ｂ・１０３には、携帯電話機１０１の制御を行う電子部品が搭載された主基板３０６、操作キー部１０５、マイク部１０６を収納する。更に、ケース体Ｂ・１０３の背面側には、バッテリ３１１を装着する装着部（図示略）が設けられている。
【００４１】
操作キー部１０５は、主基板３０６に当接すると共に、主基板３０６及び外装カバーＢ１・３０７により狭持され、外装カバーＢ１・３０７の穴３０９から露出する部分が操作スイッチとしての外観を構成する。マイク部１０６は、マイク穴３１０の裏側に配設し、外装カバーＢ１・３０７及び外装カバーＢ２・３０８により狭持し固定する。操作キー部１０５及びマイク部１０６は、配線（図示略）によって主基板３０６に接続する。
【００４２】
外装カバーＡ１・３０１及び外装カバーＢ１・３０７には、これら両外装カバーを相互に回動自在に接続するヒンジユニット３１２を収めるヒンジカバーが一体に形成されている。ケース体Ａ・１０２とケース体Ｂ・１０３とは、ヒンジユニット３１２を継手として、折り畳んだ収納状態から所定の角度に開く展開状態まで回動自在に接続されている。ヒンジユニット３１２は、所定の動トルクを発生し、回動範囲の両端で適度にクリック感を生ずる。このようなヒンジユニットの構造については例えば特開２００１−３５５３７号公報など多数開示されており、本実施の形態ではそれらの公知のヒンジユニットを採用する。従って、詳細な説明はそれらの公知技術に譲ることとする。
【００４３】
さて、ディスプレイ部１０４は、ケース体Ｂ・１０３の内部にその一端が固定され、主基板３０６に配線されている。外装カバーＢ２・３０８に設けたボス３１３を、主基板３０６、ディスプレイ部１０４、及び後述するシート部材３１４に挿通し、これら三者の位置出しと同時に固定を行う。主基板３０６、ディスプレイ部１０４、シート部材３１４は、外装カバーＢ１・３０７と外装カバーＢ２・３０８とをねじ３１５により固定することで、これらの外装カバーＢ１・３０７、外装カバーＢ２・３０８により狭持されるので、ケース体Ｂ・１０３に対して完全に固定される。
【００４４】
また、ディスプレイ部１０４は、ケース体Ａ・１０２の内部では、外装カバーＡ１・３０１と外装カバーＡ２・３０２に設けたリブ３１６とによって、ケース体Ａ・１０２内の所定の高さに保持される。ディスプレイ部１０４には、ディスプレイ部１０４の長手方向３１７をケース体Ａ・１０２に対し固定する手段を設けていないため、長手方向３１７に摺動自在となっている。更に、ディスプレイ部１０４の裏面側には、適切な弾性を有するシート部材３１４（弾性を有するシート状部材）を重ねた状態で配置している。
【００４５】
即ち、携帯電話機１０１のディスプレイ部１０４は、該ディスプレイ部１０４の長手方向の一方の部分（図５の右側の部分）がケース体Ｂ・１０３に対し固定され、該ディスプレイ部１０４の長手方向の他方の部分（図５の左側の部分）がケース体Ａ・１０２に対しては長手方向３１７（ケース体Ａ・１０２及びケース体Ｂ・１０３を回動自在に接続するヒンジユニット３１２の軸線と直交する方向）に摺動自在に保持されるように構成されている。
【００４６】
次に、上記構成を有する本実施の形態の携帯電話機１０１の筐体内部におけるディスプレイ部１０４の動作について説明する。
【００４７】
ディスプレイ部１０４はケース体Ｂ・１０３に対し固定され、ケース体Ａ・１０２に対しては長手方向３１７に摺動自在となっている。図５に示すように、携帯電話機１０１の非使用時状態、即ち携帯電話機１０１を折り畳んだ収納状態においては、外装カバーＡ１・３０１及び外装カバーＢ１・３０７の肉厚部分、及び両外装カバー間に設けたクリアランスの和Ｌｃにより、ディスプレイ部１０４は両外装カバーの頂部を大回りした状態で折り曲げられるため、使用時（図４）と非使用時（図５）とでケース体Ａ・１０２に対するディスプレイ部１０４の位置にズレΔＬを生じる。
【００４８】
本実施の形態においては、上述したように、ディスプレイ部１０４はケース体Ｂ・１０３に対し固定し、ケース体Ａ・１０２に対しては長手方向３１７に摺動自在に構成しているため、上記ズレΔＬはディスプレイ部１０４がケース体Ａ・１０２内を摺動し移動することで吸収される結果、ディスプレイ部１０４に対する変形ストレスを緩和することができる。
【００４９】
また、上述したように、ディスプレイ部１０４の裏面側には、適切な弾性を有するシート部材３１４を重ねた状態で配置している。シート部材３１４は、携帯電話機１０１を折り畳む際にディスプレイ部１０４と同様に折り曲げられるが、折り曲げにより発生する弾性力（＝復元力）がディスプレイ部１０４を押し広げる方向へ作用し、携帯電話機１０１を収納状態（非使用状態）に折り畳む際のディスプレイ部１０４が摺動し移動する動作を補助すると共に、携帯電話機１０１を展開状態（使用状態）に開く際のディスプレイ部１０４が伸展する動作を補助する。
【００５０】
以上説明したように、本実施の形態によれば、携帯電話機１０１のディスプレイ部１０４をケース体Ｂ・１０３に固定し、ケース体Ａ・１０２に対しては長手方向に摺動自在とし、携帯電話機１０１を折り畳んだ際にディスプレイ部１０４をケース体Ａ・１０２内の部で摺動させ移動させる構成とすることで、携帯電話機１０１の折り畳みに伴い、端部がケース体Ｂ・１０３に固定されたディスプレイ部１０４がケース体Ａ・１０２の内部において摺動しながら移動するため、折り畳んだ状態の携帯電話機１０１のサイズをディスプレイ部１０４のサイズより小さくなるように構成することができる。即ち、携帯電話機１０１をディスプレイ部１０４のサイズより小さく折り畳むことができ、ディスプレイ部１０４の表示画面の大きさを確保しながらも携帯性を損なうことがなく、携帯電話機１０１の小型化とディスプレイ部１０４の大型化との両立を図ることができる。
【００５１】
また、ディスプレイ部１０４をケース体Ａ・１０２の内部で自在に摺動させ移動させることで、携帯電話機１０１の折り畳みに伴う曲げストレスを逃がすことが可能となり、ディスプレイ部１０４を保護することができる。
【００５２】
また、ディスプレイ部１０４の裏面側に適切な弾性を有するシート部材３１４を重ねた状態で配置することで、シート部材３１４により、携帯電話機１０１を収納状態に折り畳む際のディスプレイ部１０４が摺動し移動する動作と、携帯電話機１０１を展開状態に開く際のディスプレイ部１０４が伸展する動作とを補助することができ、携帯電話機１０１を折り畳んだり展開したりする場合における開閉信頼性を向上させることができる。
【００５３】
［第２の実施の形態］
次に、本発明の第２の実施の形態を説明する。
【００５４】
図６は、本発明の第２の実施の形態に係る携帯電話機の構造を示す分解斜視図である。
【００５５】
図６において、携帯電話機６０１は、ヒンジユニット３１２を介して展開及び折り畳み自在に接続されたケース体Ａ・１０２及びケース体Ｂ・１０３から大略構成されている。ディスプレイ部１０４は上記同様にＥＬを採用している。尚、図６では図３と同じ構成要素には同じ符号を付すものとする。
【００５６】
本実施の形態は、上述した第１の実施の形態に対して、携帯電話機６０１が更にテンショナ部材６０２（弾性を有する部材）を備える点において相違する。本実施の形態のその他の要素は、上述した第１の実施の形態の図３の対応するものと同一なので、説明を省略する。
【００５７】
図７は、携帯電話機６０１におけるテンショナ部材６０２をディスプレイ部１０４に係合させる際の様子を示す斜視図である。
【００５８】
図７において、テンショナ部材６０２は、取り付け基部７０１と、該取り付け基部７０１から外側に対称に伸びる２本の腕形状部７０２、７０２とを備えており、樹脂製の部材として構成されている。更に、２本の腕形状部７０２、７０２の各々の先端部には、ピン状の突起７０３が形成されている。２本の腕形状部７０２、７０２は全体に適切な弾性を有している。テンショナ部材６０２は、ケース体Ａ・１０２とディスプレイ部１０４を弾性的に繋ぐものである。
【００５９】
即ち、本実施の形態が第１の実施の形態と相違する点は、携帯電話機６０１のケース体Ａ・１０２の内部に樹脂製のテンショナ部材６０２を固定し、ケース体Ａ・１０２とディスプレイ部１０４を弾性的に繋ぐようにしている点である。テンショナ部材６０２の２本の腕形状部７０２の各々の先端部は、ピン状の突起７０３によりディスプレイ部１０４に係合されるものであり、その係合部はピン状の突起７０３の中心に対して回転方向を拘束しないように構成されている。
【００６０】
次に、上記構成を有する本実施の形態の携帯電話機６０１の筐体内部におけるディスプレイ部１０４の動作について説明する。
【００６１】
図８は、テンショナ部材６０２の作用を説明するための模式図であり、（Ａ）は使用時、（Ｂ）は非使用時である。
【００６２】
上記第１の実施の形態の携帯電話機１０１は使用時と非使用時とでケース体Ａ・１０２に対してディスプレイ部１０４の位置はズレΔＬを生じる。本実施の形態においても、携帯電話機６０１のディスプレイ部１０４は、ケース体Ｂ・１０３に対し固定し、ケース体Ａ・１０２に対しては長手方向３１７に摺動自在に構成しているため、上記ズレΔＬはディスプレイ部１０４がケース体Ａ・１０２内を摺動し移動することで吸収される結果、ディスプレイ部１０４に対する変形のストレスを緩和することができる。
【００６３】
また、携帯電話機６０１を収納状態に折り畳んだ場合は（非使用時）、ディスプレイ部１０４のケース体Ａ・１０２内での位置がずれると、ケース体Ａ・１０２とディスプレイ部１０４を弾性的に繋ぐテンショナ部材６０２の腕形状部７０２が、図８（Ｂ）に示すようにΔＬ分だけ引っ張られてたわみ、弾性力を発生する。他方、携帯電話機６０１を展開状態に開いた場合は（使用時）、テンショナ部材６０２の弾性力によりディスプレイ部１０４は引き戻され、図８（Ａ）に示すように所定の位置まで移動する。
【００６４】
このように、携帯電話機６０１のディスプレイ部１０４は、テンショナ部材６０２で発生する弾性力の補助を受けることにより、携帯電話機６０１の開閉動作に対し滑らかに追従することができる。
【００６５】
以上説明したように、本実施の形態によれば、携帯電話機６０１の小型化とディスプレイ部１０４の大型化との両立、ディスプレイ部１０４の保護、開閉信頼性の向上という、上記第１の実施の形態と同様の効果に加え、携帯電話機６０１のケース体Ａ・１０２とディスプレイ部１０４を樹脂製のテンショナ部材６０２により弾性的に繋ぐ構成とすることで、携帯電話機６０１の開閉動作に対してディスプレイ部１０４を滑らかに追従させることができるという効果がある。
【００６６】
［他の実施の形態］
第１及び第２の実施の形態では、携帯電話機の操作キー部１０５をケース体Ｂ・１０３のマイク部１０６寄りの個所に配置した場合を例に挙げたが、該構造に限定されるものではなく、図１を例にとると、ディスプレイ部１０４の配置個所を操作キー部１０５の配置個所までずらし、操作キー部１０５をケース体Ａ・１０２のスピーカ部１０７寄りの個所に配置する構造としてもよい。この場合は携帯電話機が図１で天地を逆にしたような外観となる。或いは、操作キー部１０５をケース体Ａ・１０２のスピーカ部１０７寄りの個所と、ケース体Ｂ・１０３のマイク部１０６寄りの個所とに分割して配置し、ディスプレイ部１０４を操作キー部１０５の間に配置する構造としてもよい。この場合は例えば操作キー部１０５のテンキーと、それ以外のキー（電源キーや各種設定キー等）とに分割する構造が考えられる。
【００６７】
また、第１及び第２の実施の形態では、携帯電話機のディスプレイ部１０４をケース体Ｂ・１０３（第１の筐体）に対し固定し、ケース体Ａ・１０２（第２の筐体）に対し長手方向に摺動自在に構成した場合を例に挙げたが、該構造に限定されるものではなく、ディスプレイ部１０４をケース体Ａ・１０２（第１の筐体）に対し固定し、ケース体Ｂ・１０３（第２の筐体）に対し長手方向に摺動自在に構成してもよい。
【００６８】
また、第１及び第２の実施の形態では、ケース体Ａ・１０２とケース体Ｂ・１０３をヒンジ部１０８及びヒンジユニット３１２を介して回動自在に接続した場合を例に挙げたが、該構造に限定されるものではなく、ケース体Ａ・１０２とケース体Ｂ・１０３を回動自在に接続する構造は任意である。
【００６９】
また、第１及び第２の実施の形態では、折り畳み式携帯電話機として二つ折り構造の携帯電話機を例に挙げたが、二つ折り構造に限定されるものではなく、三つ折り構造や四つ折り構造であっても本発明を適用可能であることは容易に察することができるであろう。
【００７０】
また、第１及び第２の実施の形態では、携帯電話機を例に挙げたが、携帯電話機に限定されるものではなく、簡易型携帯電話機（ＰＨＳ）にも適用可能であり、更に、これらの携帯電話機以外にも、折り畳み式ディスプレイ装置を搭載するあらゆる電子機器に本発明を適用可能であることは言うまでもない。即ち、携帯情報端末（ＰＤＡ）、撮像装置（デジタルカメラ、ビデオカメラ）などの小型モバイル機器は勿論、いわゆる壁掛けテレビなど大型の電子機器であっても本発明を適用可能である。
【００７１】
また、第１及び第２の実施の形態では、ディスプレイ部をＥＬディスプレイとした場合を例に挙げたが、ＥＬは特定の種類に限定されるものではなく、有機ＥＬ、無機ＥＬの何れでもよい。
【００７２】
また、第１及び第２の実施の形態では、ディスプレイ部をＥＬディスプレイとした場合を例に挙げたが、ＥＬディスプレイに限定されるものではなく、ディスプレイ部は折り曲げることができるフレキシブルなデバイスであればどのような種類でも構わない。
【図面の簡単な説明】
【００７３】
【図１】本発明の第１の実施の形態に係る携帯電話機の使用時の外観を示す斜視図である。
【図２】携帯電話機の非使用時の外観を示す斜視図である。
【図３】携帯電話機の構造を示す分解斜視図である。
【図４】携帯電話機の使用時の概略構造を示す断面図である。
【図５】携帯電話機の非使用時の概略構造を示す断面図である。
【図６】本発明の第２の実施の形態に係る携帯電話機の構造を示す分解斜視図である。
【図７】携帯電話機におけるテンショナ部材をディスプレイ部に係合させる際の様子を示す斜視図である。
【図８】テンショナ部材の作用を説明するための模式図であり、（Ａ）は使用時、（Ｂ）は非使用時である。
【図９】従来例に係るスティック型携帯電話機の外観を示す斜視図である。
【図１０】他の従来例に係る折り畳み式携帯電話機の外観を示す斜視図である。
【符号の説明】
【００７４】
１０１、６０１  携帯電話機
１０４  ディスプレイ部
１０５  操作キー部
１０２  ケース体Ａ
１０３  ケース体Ｂ
１０５  操作キー部
１０６  マイク部
１０７  スピーカ部
１０８  ヒンジ部
３０１、３０２、３０７、３０８  外装カバー
３１２  ヒンジユニット
３１３  ボス
３１４  シート部材
３１５  ねじ
３１６  リブ
３１７  長手方向
６０２  テンショナ部材
７０１  取り付け基部
７０２  腕形状部
７０３  ピン状突起
【図１】
2005114759.tif 000003
【図２】
2005114759.tif 000004
【図３】
2005114759.tif 000005
【図４】
2005114759.tif 000006
【図５】
2005114759.tif 000007
【図６】
2005114759.tif 000008
【図７】
2005114759.tif 000009
【図８】
2005114759.tif 000010
【図９】
2005114759.tif 000011
【図１０】
2005114759.tif 000012